(57)【要約】【課題】冷却水に含まれる不純物による目詰まりを防止することができる発電機クーラーを提供する。【解決手段】第１の右端側ヘッド４１の内部空間は、第１の右端側内側隔壁４１ａによって囲まれた内側空間と、第１の右端側内側および外側隔壁４１ａ，４１ｂによって囲まれた中央空間と、第１の右端側外側隔壁４１ｂよりも外側の外側空間とに分割されており、第１の配管部２１から第１の右端側ヘッド４１の内側空間、中央空間および外側空間に流入されて流れる冷却水がこの順に多くなるとともに、第１の右端側ヘッド４１の内側空間、中央空間および外側空間から第２の配管部２２に流入される冷却水がこの順に多くなるようにされている。第２の左端側ヘッド３２および第２の右端側ヘッド４２も第１の右端側ヘッド４１と同様に構成されている。【選択図】図１
2019105421.tif 000002
【特許請求の範囲】
【請求項１】
ダムの水や河川水を冷却水として利用して発電機の冷却媒体を冷却するための発電機クーラー（１０；１０’）であって、
前記冷却水が流される複数本の第１の配管（２１ａ）が格子状に配設された中空の矩形体状の第１の配管部（２１）と、
該第１の配管部と隣接して取り付けられた、かつ、該第１の配管部と逆方向に前記冷却水が流される複数本の第２の配管（２２ａ）が格子状に配設された中空の矩形体状の第２の配管部（２２）と、
前記第１の配管部から流出される前記冷却水を流れ方向を１８０°変えて前記第２の配管に流入させるための中空のヘッド（４１；４１’）とを具備し、
前記ヘッド内に、該ヘッドの内部空間を前記冷却水の流れ方向に沿って分割するための内側および外側隔壁（４１ａ，４１ｂ；４１ａ’，４１ｂ’）が取り付けられており、
前記ヘッドの内部空間が、少なくとも、前記内側隔壁によって囲まれた内側空間と、前記内側および外側隔壁によって囲まれた中央空間と、前記外側隔壁よりも外側の外側空間とに分割されており、
前記第１の配管部から前記ヘッドの前記内側空間、前記中央空間および前記外側空間に流入されて流れる前記冷却水が該内側空間、該中央空間および該外側空間の順に多くなるとともに、前記ヘッドの前記内側空間、前記中央空間および前記外側空間から前記第２の配管部に流入される前記冷却水が該内側空間、該中央空間および該外側空間の順に多くなるようにされている、
ことを特徴とする、発電機クーラー。
【請求項２】
前記内側および外側隔壁によって前記ヘッドの内部空間を縦方向に分割する比率が、該内側および外側隔壁によって該ヘッドの内部空間を横方向に分割する比率と同じにされていることを特徴とする、請求項１記載の発電機クーラー。
【請求項３】
前記ヘッド（４１）が、前記第１および第２の配管部との接合面が開口面とされた矩形箱状の形状を有することを特徴とする、請求項１または２記載の発電機クーラー。
【請求項４】
前記ヘッド（４１’）が、前記第１および第２の配管部との接合面が矩形状の開口面とされた中空の半楕円柱状または半円柱状の形状を有することを特徴とする、請求項１または２記載の発電機クーラー。
【発明の詳細な説明】
【技術分野】
【０００１】
本発明は、水力発電所における発電機を冷却するのに好適な発電機クーラーに関する。
【背景技術】
【０００２】
従来、水力発電所における発電機の冷却は、一般的に、ダムの水や河川水（以下、「冷却水」と称する。）を利用して、図３（ａ），（ｂ）に示すような発電機クーラー１１０のクーラー配管部１２０（冷却部）内に発電機の冷却に用いた冷却媒体（たとえば、水、空気や水素）を注入して冷却することにより行われている。
【０００３】
ここで、発電機クーラー１１０は、図３（ａ）の正面図に示すように、クーラー配管部１２０と、クーラー配管部１２０の左端側および右端側にそれぞれ取り付けられた左端側および右端側ヘッド部１３０，１４０とを具備する。
【０００４】
クーラー配管部１２０は、同じ大きさでかつ中空の矩形体状の第１乃至第４の配管部１２１〜１２４を備える。
第１乃至第４の配管部１２１〜１２４は、下から第４乃至第１の配管部１２４〜１２１の順に縦方向に積み重ねられている。
第１の配管部１２１は、図３（ｂ）に示すように、内部に複数本の第１の配管１２１ａを縦方向に１段ずつ半ピッチずらして格子状に配設して構成されている。
第２の配管部１２２は、第１の配管部１２１と分離可能に取り付けられており、内部に複数本の第２の配管１２２ａを縦方向に１段ずつ半ピッチずらして格子状に配設して構成されている。
第３の配管部１２３は、第２の配管部１２２と分離可能に取り付けられており、内部に複数本の第３の配管１２３ａを縦方向に１段ずつ半ピッチずらして格子状に配設して構成されている。
第４の配管部１２４は、第３の配管部１２３と分離可能に取り付けられており、内部複数本の第４の配管１２４ａを縦方向に１段ずつ半ピッチずらして格子状に配設して構成されている。
【０００５】
左端側ヘッド部１３０は、第１乃至第３の左端側ヘッド１３１〜１３３に３分割されている。
第１の左端側ヘッド１３１は、矩形管状の形状を有し、右開口面（冷却水流出側の開口面）が第１の配管部１２１の左端面（冷却水流入側の端面）と接合するように取り付けられており、外部から右開口面を介して流入される冷却水を第１の配管部１２１に流出するように構成されている。
第２の左端側ヘッド１３２は、右端面（クーラー配管部１２０側の端面）が開口面とされた矩形箱状の形状を有し、開口面が第２の配管部１２２の左端面（冷却水流出側の端面）および第３の配管部１２３の左端面（冷却水流入側の端面）と接合するように取り付けられており、第２の配管部１２２から流入される冷却水を流れ方向を１８０°変えて第３の配管部１２３に流出するように構成されている。また、第２の左端側ヘッド１３２は、第１の左端側ヘッド１３１と分離可能に取り付けられている。
第３の左端側ヘッド１３３は、矩形管状の形状を有し、右開口面（冷却水流入側の開口面）が第４の配管部１２４の左端面（冷却水流出側の端面）と接合するように取り付けられており、第４の配管部１２４から流入される冷却水を外部に左開口面を介して排出するように構成されている。また、第３の左端側ヘッド１３３は、第２の左端側ヘッド１３２と分離可能に取り付けられている。
【０００６】
右端側ヘッド部１４０は、第１および第２の右端側ヘッド１４１，１４２に２分割されている。
第１の右端側ヘッド１４１は、左端面（クーラー配管部１２０側の端面）が開口面とされた矩形箱状の形状を有し、開口面が第１の配管部１２１の右端面（冷却水流出側の端面）および第２の配管部１２２の右端面（冷却水流入側の端面）と接合するように取り付けられており、第１の配管部１２１から流入される冷却水を流れ方向を１８０°変えて第２の配管部１２２に流出するように構成されている。
第２の右端側ヘッド１４２は、左端面（クーラー配管部１２０側の端面）が開口面とされた矩形箱状の形状を有し、開口面が第３の配管部１２３の右端面（冷却水流出側の端面）および第４の配管部１２４の右端面（冷却水流入側の端面）と接合するように取り付けられており、第３の配管部１２３から流入される冷却水を流れ方向を１８０°変えて第４の配管部１２４に流出するように構成されている。また、第２の右端側ヘッド１４２は、第１の右端側ヘッド１４１と分離可能に取り付けられている。
【０００７】
第１の配管部１２１の左端面には、複数本の第１の配管１２１ａと第１の左端側ヘッド１３１とを連通させるための複数個の貫通孔が形成されており、第１の配管部１２１の右端面には、複数本の第１の配管１２１ａと第１の右端側ヘッド１４１とを連通させるための複数個の貫通孔が形成されている。
第２の配管部１２２の左端面には、複数本の第２の配管１２２ａと第２の左端側ヘッド１３２とを連通させるための複数個の貫通孔が形成されており、第２の配管部１２２の右端面には、複数本の第２の配管１２２ａと第１の右端側ヘッド１４１とを連通させるための複数個の貫通孔が形成されている。
第３の配管部１２３の左端面には、複数本の第３の配管１２３ａと第２の左端側ヘッド１３２とを連通させるための複数個の貫通孔が形成されており、第３の配管部１２３の右端面には、複数本の第３の配管１２３ａと第２の右端側ヘッド１４２とを連通させるための複数個の貫通孔が形成されている。
第４の配管部１２４の左端面には、複数本の第４の配管１２４ａと第３の左端側ヘッド１３３とを連通させるための複数個の貫通孔が形成されており、第４の配管部１２４の右端面には、複数本の第４の配管１２４ａと第２の右端側ヘッド１４２とを連通させるための複数個の貫通孔が形成されている。
【０００８】
これにより、冷却水は、図３（ａ）に矢印で示すように、第１の左端側ヘッド１３１→第１の配管部１２１の複数本の第１の配管１２１ａ→第１の右端側ヘッド１４１→第２の配管部１２２の複数本の第２の配管１２２ａ→第２の左端側ヘッド１３２→第３の配管部１２３の複数本の第３の配管１２３ａ→第２の右端側ヘッド１４２→第４の配管部１２４の複数本の第４の配管１２４ａ→第３の左端側ヘッド１３３の順に発電機クーラー１１０を通過している。
【０００９】
なお、下記の特許文献１には、被処理物と水が連続的に導入されて混合する第一ゾーンと、第一ゾーンから導入された被処理物と水が水の臨界点の温度および圧力以上の状態に保持されて互いに反応するように構成されている第二ゾーンと、第一ゾーンおよび第二ゾーンを区画して第一ゾーン内の比較的大きな固形物を第二ゾーンへ通さないように選択的に流通させるフィルタとを有し、第二ゾーンが、上流側と下流側が混合しないように区画されて複数回曲がる流路が形成されていて、かつ、第二ゾーンで生成された反応生成物を当該反応容器の外に連続的に排出する排出口を有する、反応容器が開示されている。
【先行技術文献】
【特許文献】
【００１０】
【特許文献１】特開２００２−３２６０２９号公報
【発明の概要】
【発明が解決しようとする課題】
【００１１】
しかしながら、上述した発電機クーラー１１０では、冷却水（ダムの水や河川水）には常時不純物（ごみや砂など）が含まれており、また、降雨時などでは冷却水に含まれる不純物の量が増加するため、長時間運転すると不純物によって目詰まりが生じて、発電機クーラー１１０自体の機能が喪失されて発電機の冷却ができなくなり、発電機が温度上昇によりトリップするという問題があった。
【００１２】
また、このような不純物による目詰まりは、急に生じるのではなく、ごみなどの付着が長時間掛けて進行して生じるものであるため、通常管理において温度計、水量計および圧力計などを用いて測定した温度、水量および圧力などのトレンドでは目詰まりの進行状態を十分に確認することができないので、クーラー配管に目詰まりが生じると、発電機クーラー１１０の運転を停止して、発電機クーラー１１０を分解し、目詰まりの原因となっている不純物を取り除いたのちに、発電機クーラー１１０を組み立てて運転を再開する作業を行う必要があるという問題があった。
【００１３】
本発明の目的は、冷却水に含まれる不純物による目詰まりを防止することができる発電機クーラーを提供することにある。
【課題を解決するための手段】
【００１４】
本発明の発電機クーラーは、ダムの水や河川水を冷却水として利用して発電機の冷却媒体を冷却するための発電機クーラー（１０；１０’）であって、前記冷却水が流される複数本の第１の配管（２１ａ）が格子状に配設された中空の矩形体状の第１の配管部（２１）と、該第１の配管部と隣接して取り付けられた、かつ、該第１の配管部と逆方向に前記冷却水が流される複数本の第２の配管（２２ａ）が格子状に配設された中空の矩形体状の第２の配管部（２２）と、前記第１の配管部から流出される前記冷却水を流れ方向を１８０°変えて前記第２の配管に流入させるための中空のヘッド（４１；４１’）とを具備し、前記ヘッド内に、該ヘッドの内部空間を前記冷却水の流れ方向に沿って分割するための内側および外側隔壁（４１ａ，４１ｂ；４１ａ’，４１ｂ’）が取り付けられており、前記ヘッドの内部空間が、少なくとも、前記内側隔壁によって囲まれた内側空間と、前記内側および外側隔壁によって囲まれた中央空間と、前記外側隔壁よりも外側の外側空間とに分割されており、前記第１の配管部から前記ヘッドの前記内側空間、前記中央空間および前記外側空間に流入されて流れる前記冷却水が該内側空間、該中央空間および該外側空間の順に多くなるとともに、前記ヘッドの前記内側空間、前記中央空間および前記外側空間から前記第２の配管部に流入される前記冷却水が該内側空間、該中央空間および該外側空間の順に多くなるようにされていることを特徴とする。
ここで、前記内側および外側隔壁によって前記ヘッドの内部空間を縦方向に分割する比率が、該内側および外側隔壁によって該ヘッドの内部空間を横方向に分割する比率と同じにされていてもよい。
前記ヘッド（４１）が、前記第１および第２の配管部との接合面が開口面とされた矩形箱状の形状を有してもよい。
前記ヘッド（４１’）が、前記第１および第２の配管部との接合面が矩形状の開口面とされた中空の半楕円柱状または半円柱状の形状を有してもよい。
【発明の効果】
【００１５】
本発明の発電機クーラーは、以下に示す効果を奏する。
（１）内側および外側隔壁によって第２の配管部の冷却水流入部における冷却水の流速が全体的に同じなるようすることができるため、第２の配管部の冷却水流入部におけるごみなどの付着を防止して、冷却水に含まれる不純物による発電機クーラーの目詰まりを防止することができる。
（２）発電機クーラーの目詰まりを防止できるため、発電機クーラー本来の機能を常時発揮させることができる。
【図面の簡単な説明】
【００１６】
【図１】本発明の一実施例による発電機クーラー１０の構成を示す図である。
【図２】図１に示した発電機クーラー１０の変形例による発電機クーラー１０’の構成を示す図である。
【図３】従来の発電機クーラー１１０の構成を示す図であり、（ａ）は発電機クーラー１１０の正面図であり、（ｂ）は第１の配管１２１ａの配置を説明するための図である。
【発明を実施するための形態】
【００１７】
上記の目的を、ヘッドの内部空間を冷却水の流れ方向に沿って分割するための内側および外側隔壁をヘッド内に取り付けて第２の配管部の冷却水流入部における冷却水の流速が全体的に同じなるようにすることにより実現した。
【実施例１】
【００１８】
以下、本発明の発電機クーラーの実施例について図面を参照して説明する。
上述した従来の発電機クーラー１１０における目詰まりは図３（ａ）に破線の楕円で示すように第２乃至第４の配管部１２２〜１２４の冷却水流入部の上部付近に集中して発生しており、その主な原因は、以下に示すようにこれらの部分における冷却水の流速が他の部分よりもかなり遅くなっていると考えられる。
左端側ヘッド部１３０から流入された冷却水は第１の配管部１２１内では一定の流速で複数本の第１の配管１２１ａ内を流れるが、冷却水の流れ方向が第１の右端側ヘッド部１４１で１８０°変えられると冷却水の流速が第２の配管部１２２の冷却水流入部の上部付近で他の部分よりもかなり遅くなるため、第２の配管部１２２の冷却水流入部の上部付近に付着した不純物を冷却水の勢いで除去しきれなくなって不純物が溜まっていく。
同様にして、冷却水の流れ方向が第２の左端側ヘッド部１３２で１８０°変えられると冷却水の流速が第３の配管部１２３の冷却水流入部の上部付近で他の部分よりもかなり遅くなるため、第３の配管部１２３の冷却水流入部の上部付近に付着した不純物を冷却水の勢いで除去しきれなくなって不純物が溜まっていく。
また、冷却水の流れ方向が第２の右端側ヘッド部１４２で１８０°変えられると冷却水の流速が第４の配管部１２４の冷却水流入部の上部付近で他の部分よりもかなり遅くなるため、第４の配管部１２４の冷却水流入部の上部付近に付着した不純物を冷却水の勢いで除去しきれなくなって不純物が溜まっていく。
【００１９】
そこで、本発明の発電機クーラーは、第２乃至第４の配管部１２２〜１２４の冷却水流入部における冷却水の流速が全体的に同じなるように第１の右端側ヘッド部１４１、第２の左端側ヘッド部１３２および第２の右端側ヘッド部１４２の内部構造を改良したことを特徴とする。
【００２０】
そのため、本発明の一実施例による発電機クーラー１０は、図１に示すように、第２乃至第４の配管部２２〜２４の冷却水流入部における冷却水の流速が全体的に同じなるように第１の右端側ヘッド部４１、第２の左端側ヘッド部３２および第２の右端側ヘッド部４２が構成されている点で、従来の発電機クーラー１１０と異なる。
【００２１】
すなわち、第１の右端側ヘッド部４１は、正面視コの字形状の第１の右端側内側隔壁４１ａおよび第１の右端側外側隔壁４１ｂによって、内部空間が冷却水の流れ方向に沿って３分割されている。
【００２２】
ここで、第１の右端側内側隔壁４１ａは、第１の右端側ヘッド部４１の開口面の中央部において第１の右端側ヘッド部４１の内部空間を囲って、第１の配管部２１の最下段の第１の配管２１ａから流出される冷却水の流れ方向を１８０°変えて第２の配管部２２の最上段の第２の配管２２ａに流入させるように、第１の右端側ヘッド部４１内に取り付けられている。
第２の右端側外側隔壁４１ｂは、第１の右端側内側隔壁４１ａと共に第１の右端側ヘッド部４１の内部空間を囲って、第１の配管部２１の下から２段目および３段目の第１の配管２１ａから流出される冷却水の流れ方向を１８０°変えて第２の配管部２２の上から２段目および３段目の第２の配管２２ａに流入させるように、第１の右端側ヘッド部４１内に取り付けられている。
【００２３】
また、第１の右端側内側隔壁４１ａおよび第１の右端側外側隔壁４１ｂによって第１の右端側ヘッド部４１の内部空間を縦方向に分割する比率と横方向に分割する比率とが同じになるようにされている。
そのため、第１の右端側ヘッド部４１の内部空間は、第１の配管部２１から第１の右端側ヘッド部４１に流入されて流れる冷却水が内側空間（第１の右端側内側隔壁４１ａによって囲まれた空間）、中央空間（第１の右端側内側および外側隔壁４１ａ，４１ｂによって囲まれた間）および外側空間（第１の右端側外側隔壁４１ｂよりも外側の空間）の順に多くなるとともに、第１の右端側ヘッド部４１から第２の配管部２２に流入される冷却水が内側空間、中央空間および外側空間の順に多くなるように、第１の右端側内側隔壁４１ａおよび第１の右端側外側隔壁４１ｂによって３分割されている。
【００２４】
同様に、第２の左端側ヘッド部３２は、正面視コの字形状の左端側内側隔壁３２ａおよび左端側外側隔壁３２ｂによって、内部空間が冷却水の流れ方向に沿って３分割されている。
【００２５】
ここで、左端側内側隔壁３２ａは、第２の左端側ヘッド部３２の開口面の中央部において第２の左端側ヘッド部３２の内部空間を囲って、第２の配管部２２の最下段の第２の配管２２ａから流出される冷却水の流れ方向を１８０°変えて第３の配管部２３の最上段の第３の配管２３ａに流入させるように、第２の左端側ヘッド部３２内に取り付けられている。
左端側外側隔壁３２ｂは、左端側内側隔壁３２ａと共に第２の左端側ヘッド部３２の内部空間を囲って、第２の配管部２２の下から２段目および３段目の第２の配管２２ａから流出される冷却水の流れ方向を１８０°変えて第３の配管部２３の上から２段目および３段目の第３の配管２３ａに流入させるように、第２の左端側ヘッド部３２内に取り付けられている。
【００２６】
また、左端側内側隔壁３２ａおよび左端側外側隔壁３２ｂによって第２の左端側ヘッド部３２の内部空間を縦方向に分割する比率および横方向に分割する比率が同じになるようにされている。
そのため、第２の左端側ヘッド部３２の内部空間は、第２の配管部２２から第２の左端側ヘッド部３２に流入されて流れる冷却水が（左端側内側隔壁３２ａによって囲まれた空間）、中央空間（左端側内側および外側隔壁３２ａ，３２ｂによって囲まれた間）および外側空間（左端側外側隔壁３２ｂよりも外側の空間）の順に多くなるとともに、第２の左端側ヘッド部３２から第３の配管部２３に流入される冷却水が内側空間、中央空間および外側空間の順に多くなるように、左端側内側隔壁３２ａおよび左端側外側隔壁３２ｂによって３分割されている。
【００２７】
同様に、第２の右端側ヘッド部４２は、正面視コの字形状の第２の右端側内側隔壁４２ａおよび第２の右端側外側隔壁４２ｂによって、内部空間が冷却水の流れ方向に沿って３分割されている。
【００２８】
ここで、第２の右端側内側隔壁４２ａは、第２の右端側ヘッド部４２の開口面の中央部において第２の右端側ヘッド部４２の内部空間を囲って、第３の配管部２３の最下段の第３の配管２３ａから流出される冷却水の流れ方向を１８０°変えて第４の配管部２４の最上段の第４の配管２４ａに流入させるように、第２の右端側ヘッド部４２内に取り付けられている。
第２の右端側外側隔壁４２ｂは、第２の右端側内側隔壁４２ａと共に第２の右端側ヘッド部４２の内部空間を囲って、第３の配管部２３の下から２段目および３段目の第３の配管２３ａから流出される冷却水の流れ方向を１８０°変えて第４の配管部２４の上から２段目および３段目の第４の配管２４ａに流入させるように、第２の右端側ヘッド部４２内に取り付けられている。
【００２９】
また、第２の右端側内側隔壁４２ａおよび第２の右端側外側隔壁４２ｂによって第２の右端側ヘッド部４２の内部空間を縦方向に分割する比率および横方向に分割する比率が同じになるようにされている。
そのため、第２の右端側ヘッド部４２の内部空間は、第３の配管部２３から第２の右端側ヘッド部４２に流入されて流れる冷却水が内側空間（第２の右端側内側隔壁４２ａによって囲まれた空間）、中央空間（第２の右端側内側および外側隔壁４２ａ，４２ｂによって囲まれた間）および外側空間（第２の右端側外側隔壁４２ｂよりも外側の空間）の順に多くなるとともに、第２の右端側ヘッド部４２から第４の配管部２４に流入される冷却水が内側空間、中央空間および外側空間の順に多くなるように、第２の右端側内側隔壁４２ａおよび第２の右端側外側隔壁４２ｂによって３分割されている。
【００３０】
以上説明した発電機クーラー１０では、第１の右端側ヘッド４１内に２つの隔壁（第１の右端側内側隔壁４１ａおよび第１の右端側外側隔壁４１ｂ）を取り付けたが、３つ以上の隔壁を取り付けてもよい。
この場合には、３つ以上の隔壁によって分割される第１の右端側ヘッド４１の内部空間のうち内側の空間ほど少ない量の冷却水が流入されて流れるようにする。
第２の左端側ヘッド３２および第２の右端側ヘッド４２についても同様である。
【００３１】
また、第１の右端側ヘッド４１、第２の左端側ヘッド３２および第２の右端側ヘッド４２を矩形箱状の形状としたが、第２乃至第４の配管部２２〜２４の冷却水流入部における冷却水の流速が全体的により同じになるようにするために、図２に示す発電機クーラー１０’の第１の右端側ヘッド４１’ 、第２の左端側ヘッド３２’および第２の右端側ヘッド４２’のように、第１および第２の配管部２１，２２との接合面、第２および第３の配管部２２，２３との接合面および第３および第４の配管部２３，２４との接合面が矩形状の開口面とされた中空の半楕円柱状または半円柱状の形状としてもよい。
この場合には、第１の右端側ヘッド４１’内に取り付ける第１の右端側内側隔壁４１ａ’および第１の右端側外側隔壁４１ｂ’と、第２の左端側ヘッド３２’内に取り付ける左端側内側隔壁３２ａ’および左端側外側隔壁３２ｂ’と、第２の右端側ヘッド４２’内に取り付ける第２の右端側内側隔壁４２ａ’および第２の右端側外側隔壁４２ｂ’とは、中空の半楕円柱状または半円柱状の形状とする。
【００３２】
さらに、冷却水がクーラー配管部２０を水平方向に流れる横置きに発電機クーラー１０，１０’を設置した場合を例として説明したが、冷却水がクーラー配管部２０を垂直方向に流れる縦置きに発電機クーラー１０，１０’を設置しても同様の効果が得られる。
【符号の説明】
【００３３】
１０，１０’，１１０  発電機クーラー
２０，１２０  クーラー配管部
２１〜２４，１２１〜１２４  第１乃至第４の配管部
２１ａ〜２４ａ，１２１ａ〜１２４ａ  第１乃至第４の配管
３０，１３０  左端側ヘッド部
３１〜３３，１３１〜１３３  第１乃至第３の左端側ヘッド
３２’  第２の左端側ヘッド
３２ａ，３２ａ’  左端側内側隔壁
３２ｂ，３２ｂ’  左端側外側隔壁
４０，１４０  右端側ヘッド部
４１，４２，４１’，４２’，１４１，１４２  第１および第２の右端側ヘッド
４１ａ，４２ａ，４１ａ’，４２ａ’  第１および第２の右端側内側隔壁
４１ｂ，４２ｂ，４１ｂ’，４２ｂ’  第１および第２の右端側外側隔壁
【図１】
2019105421.tif 000003
【図２】
2019105421.tif 000004
【図３】
2019105421.tif 000005